(57)【要約】【課題】適切なタイミングでの水分補給を支援すること。【解決手段】給水情報送信プログラムは、携帯端末より位置情報を受信し、前記携帯端末について、所定位置に係る位置情報と、前記携帯端末より受信される位置情報との比較に基づいて、前記所定位置からの移動を検知し、前記移動が検知されてから所定時間経過後に、複数の給水場所の中から前記位置情報に係る位置に相対的に近い給水場所を、各給水場所の位置情報を記憶する第一の記憶部を用いて特定し、特定された前記給水場所を示す情報を前記携帯端末に送信する処理をコンピュータに実行させる。【選択図】図３
2014191483.tif 000002
【特許請求の範囲】
【請求項１】
携帯端末より位置情報を受信し、
前記携帯端末について、所定位置に係る位置情報と、前記携帯端末より受信される位置情報との比較に基づいて、前記所定位置からの移動を検知し、
前記移動が検知されてから所定時間経過後に、複数の給水場所の中から前記位置情報に係る位置に相対的に近い給水場所を、各給水場所の位置情報を記憶する第一の記憶部を用いて特定し、
特定された前記給水場所を示す情報を前記携帯端末に送信する、
処理をコンピュータに実行させる給水情報送信プログラム。
【請求項２】
前記特定する処理は、第二の記憶部が記憶する気温及び湿度の少なくともいずれか一方に基づいて、前記所定時間を変化させる請求項１記載の給水情報送信プログラム。
【請求項３】
前記送信する処理は、第三の記憶部が前記特定された給水場所に対して記憶する、当該給水場所が最後に使用された時期に応じて、水を摂取する際の注意事項を前記携帯端末に送信する請求項１又は２記載の給水情報送信プログラム。
【請求項４】
携帯端末より位置情報を受信し、
前記携帯端末について、所定位置に係る位置情報と、前記携帯端末より受信される位置情報との比較に基づいて、前記所定位置からの移動を検知し、
前記移動が検知されてから所定時間経過後に、複数の給水場所の中から前記位置情報に係る位置に相対的に近い給水場所を、各給水場所の位置情報を記憶する第一の記憶部を用いて特定し、
特定された前記給水場所を示す情報を前記携帯端末に送信する、
処理をコンピュータが実行する給水情報送信方法。
【請求項５】
携帯端末より位置情報を受信する受信部と、
前記携帯端末について、所定位置に係る位置情報と、前記携帯端末より受信される位置情報との比較に基づいて、前記所定位置からの移動を検知する検知部と、
前記移動が検知されてから所定時間経過後に、複数の給水場所の中から前記位置情報に係る位置に相対的に近い給水場所を、各給水場所の位置情報を記憶する第一の記憶部を用いて特定する特定部と、
特定された前記給水場所を示す情報を前記携帯端末に送信する送信部と、
を有する給水情報送信装置。
【発明の詳細な説明】
【技術分野】
【０００１】
本発明は、給水情報送信プログラム、給水情報送信方法、及び給水情報送信装置に関する。
【背景技術】
【０００２】
熱中症や脱水症状等を防止するためには、適度な頻度で水分補給をすることが望ましい。日本では、公園等の公共施設に設置されている給水場所から給水される飲料水についても、飲用としての安全性は確保されている。したがって、外出者に対して、安全な飲料水を提供可能なインフラは或る程度整備されていると考えられる。
【先行技術文献】
【特許文献】
【０００３】
【特許文献１】特開２０１２−２１５４５１号公報
【発明の概要】
【発明が解決しようとする課題】
【０００４】
しかしながら、例えば、屋外において遊んでいる子供達は、遊びに夢中になるばかりに、適度な水分補給を行わない可能性が有る。また、水分補給をしようとした子供が、自らの近辺に所在している給水場所の所在地を把握しているとは限らない。その結果、適切なタイミングでの水分補給が困難となる可能性が有る。
【０００５】
そこで、一側面では、適切なタイミングでの水分補給を支援することを目的とする。
【課題を解決するための手段】
【０００６】
一つの案では、給水情報送信プログラムは、携帯端末より位置情報を受信し、前記携帯端末について、所定位置に係る位置情報と、前記携帯端末より受信される位置情報との比較に基づいて、前記所定位置からの移動を検知し、前記移動が検知されてから所定時間経過後に、複数の給水場所の中から前記位置情報に係る位置に相対的に近い給水場所を、各給水場所の位置情報を記憶する第一の記憶部を用いて特定し、特定された前記給水場所を示す情報を前記携帯端末に送信する処理をコンピュータに実行させる。
【発明の効果】
【０００７】
一態様によれば、適切なタイミングでの水分補給を支援することができる。
【図面の簡単な説明】
【０００８】
【図１】第一の実施の形態における給水情報通知システムの構成例を示す図である。
【図２】第一の実施の形態における給水情報通知装置のハードウェア構成例を示す図である。
【図３】第一の実施の形態における給水情報通知装置の機能構成例を示す図である。
【図４】第一の実施の形態におけるユーザの外出を検知するための処理手順の一例を説明するためのフローチャートである。
【図５】ユーザ情報記憶部の構成例を示す図である。
【図６】位置情報記憶部の構成例を示す図である。
【図７】外出情報記憶部の構成例を示す図である。
【図８】第一の実施の形態における給水情報通知処理の処理手順の一例を説明するためのフローチャートである。
【図９】環境情報記憶部の構成例を示す図である。
【図１０】通知間隔記憶部の構成例を示す図である。
【図１１】第一の実施の形態の給水場所情報記憶部の構成例を示す図である。
【図１２】第一の実施の形態における給水情報通知メールの表示例を示す図である。
【図１３】第二の実施の形態における給水情報通知装置の機能構成例を示す図である。
【図１４】給水場所の最終使用日時の更新処理の処理手順の一例を説明するためのフローチャートである。
【図１５】第二の実施の形態の給水場所情報記憶部の構成例を示す図である。
【図１６】第二の実施の形態における給水情報通知メールの表示例を示す図である。
【発明を実施するための形態】
【０００９】
以下、図面に基づいて本発明の実施の形態を説明する。図１は、第一の実施の形態における給水情報通知システムの構成例を示す図である。図１に示される給水情報通知システム１において、給水情報通知装置１０は、移動体通信網等のネットワークを介して、１以上の携帯端末２０と通信可能とされている。
【００１０】
給水情報通知装置１０は、給水情報通知サービスを提供する１以上のコンピュータである。給水情報通知サービスとは、例えば、予め登録されたユーザ（以下、単に「ユーザ」という。）に対して、給水場所に関する情報（以下、「給水情報」という。）を通知するサービスをいう。なお、給水場所とは、水道水を飲める場所又は施設等をいい、屋外又は屋内を問わない。
【００１１】
携帯端末２０は、ユーザが、給水情報通知サービスの提供を受けるために所持する情報処理装置である。すなわち、本実施の形態におけるユーザは、携帯端末２０の所持者である。携帯端末２０の一例として、携帯電話、スマートフォン、及びタブレット型端末等が挙げられる。
【００１２】
図２は、第一の実施の形態における給水情報通知装置のハードウェア構成例を示す図である。図２の給水情報通知装置１０は、それぞれバスＢで相互に接続されているドライブ装置１００、補助記憶装置１０２、メモリ装置１０３、ＣＰＵ１０４、及びインタフェース装置１０５等を有する。
【００１３】
給水情報通知装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１４】
メモリ装置１０３は、プログラムの起動指示があった場合に、補助記憶装置１０２からプログラムを読み出して格納する。ＣＰＵ１０４は、メモリ装置１０３に格納されたプログラムに従って給水情報通知装置１０に係る機能を実行する。インタフェース装置１０５は、ネットワークに接続するためのインタフェースとして用いられる。
【００１５】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１６】
図３は、第一の実施の形態における給水情報通知装置の機能構成例を示す図である。図３において、給水情報通知装置１０は、位置情報受信部１１、外出検知部１２、外出情報更新部１３、通知間隔判定部１４、通知時期検知部１５、給水場所特定部１６、及び給水情報送信部１７等を有する。これら各部は、給水情報通知装置１０にインストールされたプログラムが、ＣＰＵ１０４に実行させる処理により実現される。給水情報通知装置１０は、また、ユーザ情報記憶部１１１、位置情報記憶部１１２、外出情報記憶部１１３、環境情報記憶部１１４、通知間隔記憶部１１５、及び給水場所情報記憶部１１６等を利用する。これら各記憶部は、補助記憶装置１０２、又は給水情報通知装置１０にネットワークを介して接続される非図示の記憶装置等を用いて実現可能である。外出情報記憶部１１３は、メモリ装置１０３を用いて実現されてもよい。
【００１７】
ユーザ情報記憶部１１１は、ユーザごとに属性情報を記憶する。属性情報には、ユーザの識別情報や、ユーザの自宅の位置情報等が含まれる。位置情報受信部１１は、各携帯端末２０より、位置情報を受信する。位置情報受信部１１は、受信された位置情報を、ユーザ（又は携帯端末２０）の識別情報に対応付けて位置情報記憶部１１２に記憶する。
【００１８】
外出検知部１２は、位置情報記憶部１１２に記憶されている位置情報と、ユーザの自宅の位置情報とを比較することにより、ユーザが外出したこと（自宅から移動したこと）を検知する。なお、外出の検知は、例えば、ユーザからの申請によって行われてもよい。具体的には、携帯端末２０に対するユーザによる操作に応じて、携帯端末２０は、ユーザが外出したことを示す情報を給水情報通知装置１０に送信してもよい。外出検知部１２は、当該情報に基づいて、ユーザの外出を検知してもよい。但し、位置情報の比較に基づいてユーザの外出が自動的に検知されることにより、ユーザの操作負担を軽減することができる。
【００１９】
外出情報更新部１３は、ユーザの外出が検知された場合に、当該外出の開始日時等を外出情報記憶部１１３に記憶する。通知間隔判定部１４は、環境情報記憶部１１４が記憶する、気温や湿度等の環境情報に応じて、給水情報の通知間隔を判定する。環境情報記憶部１１４には、所定の計測地点において計測された気温や湿度等が記憶されている。通知間隔記憶部１１５は、気温の範囲や湿度の範囲に対応付けて通知間隔を記憶する。したがって、通知間隔判定部１４は、通知間隔記憶部１１５を参照して、通知間隔を判定する。
【００２０】
通知時期検知部１５は、外出情報記憶部１１３に記憶された、外出の開始日時と、通知間隔判定部１４によって判定された通知間隔とに基づいて、給水情報の通知時期の到来を検知する。給水場所特定部１６は、給水情報の通知時期において、ユーザに最も近い給水場所を特定する。ユーザに最も近い給水場所は、給水場所情報記憶部１１６を参照して特定される。すなわち、給水場所情報記憶部１１６は、給水場所ごとに、所在位置の位置情報等を記憶する。
【００２１】
給水情報送信部１７は、通知時期の到来に応じて、給水場所特定部１６によって特定された給水場所を示す給水情報を、ユーザの携帯端末２０に送信する。
【００２２】
以下、第一の実施の形態において、給水情報通知装置１０が実行する処理手順について説明する。図４は、第一の実施の形態におけるユーザの外出を検知するための処理手順の一例を説明するためのフローチャートである。なお、図４は、一人のユーザに対する処理を示す。したがって、図４の処理は、ユーザごとに実行される。以下、図４の説明において処理対象とされているユーザを、「対象ユーザ」という。
【００２３】
ステップＳ１０１において、外出検知部１２は、対象ユーザのユーザ情報を、ユーザ情報記憶部１１１より取得する。
【００２４】
図５は、ユーザ情報記憶部の構成例を示す図である。図５において、ユーザ情報記憶部１１１は、ユーザごとに、ユーザＩＤ、ユーザ名、自宅住所、自宅緯度経度、及びメールアドレス等を記憶する。ユーザＩＤは、ユーザごとの識別情報である。ユーザ名は、ユーザの氏名である。自宅住所は、ユーザの自宅の住所である。自宅緯度経度は、ユーザの自宅の所在地の緯度及び経度である。メールアドレスは、ユーザが所持する携帯端末２０に対するメールアドレスである。
【００２５】
続いて、外出検知部１２は、対象ユーザの最新の位置情報を、位置情報記憶部１１２より取得する（Ｓ１０２）。
【００２６】
図６は、位置情報記憶部の構成例を示す図である。位置情報記憶部１１２には、位置情報受信部１１が、例えば、携帯端末２０より定期的に位置情報を受信する度に、当該携帯端末２０に係るユーザＩＤ、緯度経度、及び更新日時等を含むレコードが記憶される。ユーザＩＤは、位置情報の送信元の携帯端末２０を所持するユーザの識別情報であり、例えば、位置情報と共に受信される。緯度経度は、位置情報を示す緯度及び経度であり、例えば、携帯端末２０のＧＰＳ（Global Positioning System）機能によって計測される値である。更新日時は、当該レコードが記憶された日時である。なお、図６では、位置情報の履歴が記憶される例が示されているが、ユーザごとに、最新の位置情報のみが記憶されるようにしてもよい。
【００２７】
なお、携帯端末２０からの位置情報の受信に応じて、図４の処理が開始されてもよい。または、ステップＳ１０２において、位置情報受信部１１は、携帯端末２０に対して位置情報の送信を要求してもよい。この場合、位置情報受信部１１は、携帯端末２０より返信された位置情報を、位置情報記憶部１１２に記憶する。
【００２８】
続いて、外出検知部１２は、対象ユーザの最新の位置情報に係る緯度経度と、自宅緯度経度とを比較することにより、対象ユーザの最新の位置と自宅との距離が、閾値α（例えば、５０ｍ）以上であるか否かを判定する（Ｓ１０３）。なお、緯度及び経度の相違（差分）について、距離（ｍ）への換算は、公知の方法に従って行われればよい。なお、ステップＳ１０３の判定は、ユーザが外出したか否かを厳密に区別可能であることは要求されない。ステップＳ１０３の判定内容より明らかなように、本実施の形態において、外出とは、自宅から閾値α分の距離だけ離れた状態をいう。すなわち、外出とは、ユーザが、自宅よりも近い位置に給水場所が所在する可能性の有る位置に移動した状態をいう。
【００２９】
対象ユーザの最新の位置と自宅との距離が閾値α未満である場合（Ｓ１０３でＮｏ）、外出検知部１２は、対象ユーザは自宅から外出していないと判定する。この場合、給水情報通知装置１０は、一定時間（例えば、５分等）待機後、ステップＳ１０１以降を繰り返す（Ｓ１０４）。なお、位置情報が、携帯端末２０から定期的に送信される場合、ステップＳ１０４の待機は実行されずに、図４の処理は終了してもよい。
【００３０】
一方、対象ユーザの最新の位置と自宅との距離が閾値α以上である場合（Ｓ１０３でＹｅｓ）、外出検知部１２は、対象ユーザは自宅から外出していると判定する。そこで、外出検知部１２は、対象ユーザは、既に外出中として判定済みであるか否かを判定する（Ｓ１０５）。当該判定は、外出情報記憶部１１３を参照して行うことが可能である。
【００３１】
図７は、外出情報記憶部の構成例を示す図である。図７において、外出情報記憶部１１３は、外出中であると判定されたユーザごとに、ユーザＩＤ及び開始日時等を含むレコードを記憶する。開始日時は、外出中であると判定された日時である。したがって、ステップＳ１０５の判定は、対象ユーザのユーザＩＤを含むレコードが、外出情報記憶部１１３に記憶されているか否かを確認することにより行うことができる。
【００３２】
対象ユーザに対するレコードが、外出情報記憶部１１３に記憶されていない場合（Ｓ１０５でＮｏ）、給水情報通知装置１０は、対象ユーザに関する給水情報通知処理を開始する（Ｓ１０６）。給水情報通知処理の詳細については後述される。なお、給水情報通知処理は、図４の処理とは別のスレッド又はプロセスにおいて並列的に実行される。
【００３３】
対象ユーザに対するレコードが、外出情報記憶部１１３に記憶されている場合（Ｓ１０５でＹｅｓ）、給水情報通知装置１０は、対象ユーザに対するレコードが外出情報記憶部１１３より削除されるまで待機した後（Ｓ１０７）、ステップＳ１０１以降を繰り返す。なお、外出情報記憶部１１３における対象ユーザのレコードは、給水情報通知処理において、対象ユーザが帰宅した（自宅からの距離が閾値α未満となった）と判定された場合に削除される。
【００３４】
続いて、ステップＳ１０６の詳細について説明する。図８は、第一の実施の形態における給水情報通知処理の処理手順の一例を説明するためのフローチャートである。
【００３５】
ステップＳ２０１において、外出情報更新部１３は、対象ユーザのユーザＩＤ及び現在日時を、ユーザＩＤ及び開始日時とするレコードを外出情報記憶部１１３に登録する。続いて、通知間隔判定部１４は、最新の環境情報に基づいて、通知間隔を判定する（Ｓ２０２）。最新の環境情報は、環境情報記憶部１１４より取得される。
【００３６】
図９は、環境情報記憶部の構成例を示す図である。図９において、環境情報記憶部１１４は、気温及び湿度の計測ごとに、緯度経度、計測日時、気温、及び湿度等の履歴を記憶する。緯度経度は、計測地点の緯度及び経度である。計測日時は、計測が行われた日時である。気温及び湿度は、計測結果としての気温又は湿度である。なお、図９では、便宜上、例示されている全てのレコードの緯度経度の値は同一であるが、複数の計測地点に関するレコードが環境情報記憶部１１４に記憶されてもよい。この場合、ステップＳ２０２では、対象ユーザの最新の位置情報に係る位置に最も近い位置を示す緯度経度を含むレコードのうち、計測日時が最新であるレコードの気温及び湿度が最新の環境情報として利用されてもよい。
【００３７】
斯かる最新の環境情報に基づく通知間隔の判定は、通知間隔記憶部１１５を参照して行われる。図１０は、通知間隔記憶部の構成例を示す図である。
【００３８】
図１０において、通知間隔記憶部１１５は、気温の範囲及び湿度の範囲に対応付けて通知間隔を記憶する。したがって、通知間隔判定部１４は、最新の気温及び湿度が含まれる範囲に対応する通知間隔を、通知間隔記憶部１１５より抽出する。なお、気温又は湿度のいずれか一方に基づいて通知間隔が判定されてもよい。
【００３９】
続いて、通知時期検知部１５は、対象ユーザのユーザＩＤに対応付けられて外出情報記憶部１１３に記憶されている開始日時からの経過時間が、通知間隔を超えているか否かを判定する（Ｓ２０３）。当該経過時間が、通知間隔を超えている場合（Ｓ２０３でＹｅｓ）、通知時期検知部１５は、対象ユーザの最新の位置情報に係る緯度経度と、自宅緯度経度とを比較することにより、対象ユーザの最新の位置と自宅との距離が、閾値α以上であるか否かを判定する（Ｓ２０４）。すなわち、対象ユーザが外出中のままであるか、帰宅したかが判定される。なお、対象ユーザの最新の位置情報は、位置情報記憶部１１２より取得される。
【００４０】
対象ユーザの最新の位置と自宅との距離が、閾値α以上である場合（Ｓ２０４でＹｅｓ）、給水場所特定部１６は、給水場所情報記憶部１１６を参照して、対象ユーザの最新の位置から最も近い位置に所在する給水場所を特定する（Ｓ２０５）。
【００４１】
図１１は、第一の実施の形態の給水場所情報記憶部の構成例を示す図である。図１１において、給水場所情報記憶部１１６は、給水場所ごとに緯度経度及び名前等を記憶する。
【００４２】
ステップＳ２０５では、各給水場所の緯度経度と、対象ユーザの最新の位置情報（緯度経度）とを比較することにより、対象ユーザの最新の位置から最も近い給水場所が特定される。なお、例えば、上位５つ等、対象ユーザの最新の位置に相対的に近い複数の給水場所が特定されてもよい。また、給水場所のみでなく、対象ユーザの最新の位置情報と、自宅緯度経度との比較が行われてもよい。自宅緯度経度が最も近ければ、自宅が最も近い給水場所として特定されてもよい。
【００４３】
続いて、給水情報送信部１７は、給水場所を示す地図や給水場所の名前等を含む電子メール（以下、「給水情報通知メール」という。）を生成し、給水情報通知メールを対象ユーザのメールアドレス宛に送信する（Ｓ２０６）。なお、給水場所を示す地図は、給水場所の緯度経度と、一般的に提供されている地図アプリケーション等に基づいて生成可能である。給水情報通知メールは、対象ユーザの携帯端末２０によって受信される。当該携帯端末２０は、対象ユーザによる操作に応じて、給水情報通知メールを表示させる。
【００４４】
図１２は、第一の実施の形態における給水情報通知メールの表示例を示す図である。図１２に示されるように、給水情報通知メールには、給水場所を示す地図等が含まれている。したがって、ユーザは、給水場所を容易に探し出すことができる。
【００４５】
その後、ステップＳ２０１以降が繰り替えされる。２回目以降のステップＳ２０１では、外出情報記憶部１１３に既に記憶されている対象ユーザに対するレコードの開始日時が、現在時刻に更新される。その結果、ユーザが外出中であると判定されている間は、定期的に給水情報通知メールが送信される。
【００４６】
一方、ステップＳ２０４において、対象ユーザの最新の位置と自宅との距離が、閾値α未満である場合（Ｓ２０４でＮｏ）、外出情報更新部１３は、対象ユーザのレコードを外出情報記憶部１１３より削除する（Ｓ２０７）。その後、対象ユーザに関する給水情報通知処理は終了する。
【００４７】
上述したように、第一の実施の形態によれば、ユーザの近辺に所在する給水場所を通知することができる。また、給水場所の通知は、ユーザが自宅から離れている状態が継続している間、一定時間ごとに行われる。当該一定期間は、気温や湿度等に基づいて、変化する。したがって、環境状態に応じた適切なタイミングでの水分補給を支援することができる。
【００４８】
特に、本実施の形態における給水情報通知サービスは、屋外で遊んでいる子供に対して有効である。夢中になって遊んでいる子供は、水分を補給すべきことを忘れる可能性や、近辺の給水場所を知らない可能性が、大人に対して高いと考えられるからである。
【００４９】
なお、通知間隔判定部１４は、位置情報記憶部１１２が記憶する位置情報の履歴に基づいて特定可能な一定時間当たりの移動量に応じて変化させてもよい。例えば、移動量が大きい場合は、通知間隔を短くしてもよい。移動量が大きい場合は、発汗量が多い可能性が高く、水を摂取すべき頻度も高くなる可能性が高いからである。また、位置情報受信部１１は、位置情報と共に、携帯端末２０のジャイロセンサ等の計測値を受信してもよい。この場合、通知間隔判定部１４は、当該計測値に基づいて、移動量を判定し、通知間隔を変化させてもよい。
【００５０】
次に、第二の実施の形態について説明する。第二の実施の形態では第一の実施の形態と異なる点について説明する。したがって、特に言及されない点については、第一の実施の形態と同様でもよい。
【００５１】
図１３は、第二の実施の形態における給水情報通知装置の機能構成例を示す図である。図１３中、図３と同一部分には同一符号を付し、その説明は省略する。図１３において、給水情報通知装置１０は、使用履歴更新部１８を更に有する。使用履歴更新部１８は、給水場所が使用されたと判定された場合、すなわち、給水場所において水が摂取されたと判定された場合、当該給水場所の最終使用日時を更新する。なお、使用履歴更新部１８は、給水情報通知装置１０にインストールされたプログラムがＣＰＵ１０４に実行させる処理により実現される。
【００５２】
以下、第二の実施の形態において、給水情報通知装置１０が実行する処理手順について説明する。図１４は、給水場所の最終使用日時の更新処理の処理手順の一例を説明するためのフローチャートである。
【００５３】
ステップＳ３０１において、使用履歴更新部１８は、いずれかのユーザの最新の位置情報（緯度経度）と、いずれかの給水場所の緯度経度との距離が、閾値β未満であるか否かを判定する。閾値βは、ユーザが、給水場所において水を摂取していると判定可能な程度の距離であることが望ましい。なお、各ユーザの最新の位置情報は、位置情報記憶部１１２より取得可能である。各給水場所の緯度経度は、給水場所情報記憶部１１６より取得可能である。
【００５４】
いずれかのユーザの最新の位置情報と、いずれかの給水場所の緯度経度の距離が、閾値β未満である場合（Ｓ３０１でＹｅｓ）、使用履歴更新部１８は、該当する給水場所の最終使用日時を更新する（Ｓ３０２）。最終使用日時は、例えば、給水場所情報記憶部１１６に記憶されてもよい。
【００５５】
図１５は、第二の実施の形態の給水場所情報記憶部の構成例を示す図である。第二の実施の形態における給水場所情報記憶部１１６は、給水場所ごとに、更に、最終使用日時を記憶する。最終使用日時は、当該給水場所が最後に使用された日時である。ステップＳ３０２では、該当する給水場所の最終使用日時が、現在日時に更新される。
【００５６】
続いて、外出情報更新部１３は、該当ユーザについて、外出情報記憶部１１３における開始日時を現在日時に更新する（Ｓ３０３）。そうすることで、並列的に実行されている図８の処理の作用により、当該ユーザに対する給水情報通知メールの送信のタイミングを、当該ユーザが水を摂取したと考えられる時から通知間隔経過後とすることができる。
【００５７】
なお、図１４の処理は、常時実行されてもよいし、例えば、図８のステップＳ２０４でＹｅｓの場合に、対象ユーザごとに起動されてもよい。対象ユーザごとに起動される場合、ステップＳ３０１においては、図８の処理における対象ユーザと、当該対象ユーザに対して特定された給水場所との距離が、閾値βとの比較対象とされてもよい。また、ステップＳ３０３の後、図１４の処理は、終了してもよい。
【００５８】
図１４の処理によって更新される最終使用日時は、図８のステップＳ２０６において利用される。すなわち、ステップＳ２０６において、給水情報送信部１７は、特定された給水場所の最終使用日時からの経過時間が、所定値を超える場合には、給水情報通知メールに、水を摂取する際の注意事項を含める。例えば、蛇口の開栓後に、所定時間待機すべきことを示すメッセージが、給水情報通知メールに含められる。具体的には、第二の実施の形態では、例えば、図１６に示されるような給水情報通知メールが、携帯端末２０に表示される。
【００５９】
図１６は、第二の実施の形態における給水情報通知メールの表示例を示す図である。図１６に示される給水情報通知メールでは、「３分程水を流してから水を飲んで下さい。」というメッセージが含まれている。なお、時間が分からない子供に対しては、例えば、或る唄を歌った後に、水を飲むことを奨めるメッセージが含められてもよい。または、音声データが給水情報通知メールに添付され、当該音声データの再生（例えば、何らかの曲の再生）の終了後に、水を飲むことを奨めるメッセージが含まれてもよい。
【００６０】
上述したように、第二の実施の形態によれば、長期間使用されていない蛇口から開栓直後に流出する、水質が劣化している可能性の有る水の摂取を防止することができる。
【００６１】
なお、上記各実施の形態において、各ユーザの自宅緯度経度は、厳密に、ユーザの自宅の緯度経度でなくてもよい。ユーザが、当該地点から移動した場合に、給水情報通知サービスを受けたい地点の緯度経度が、自宅緯度経度として登録されてもよい。また、自宅緯度経度に対して、複数地点の緯度経度が登録可能とされてもよい。例えば、友人宅や親戚の家等の緯度経度を、自宅緯度経度と共に登録しておくことにより、いつでも水を摂取可能な状態において、給水情報通知メールが定期的に送信されるのを回避することができる。
【００６２】
なお、本実施の形態において、位置情報記憶部１１２は、第一の記憶部の一例である。環境情報記憶部１１４は、第二の記憶部の一例である。給水情報記憶部は、第三の記憶部の一例である。給水情報通知装置１０は、給水情報送信装置の一例である。外出検知部１２は、検知部の一例である。位置情報受信部１１は、受信部の一例である。給水場所特定部１６は、特定部の一例である。給水情報送信部１７は、送信部の一例である。自宅は、所定位置の一例である。
【００６３】
以上、本発明の実施例について詳述したが、本発明は斯かる特定の実施形態に限定されるものではなく、特許請求の範囲に記載された本発明の要旨の範囲内において、種々の変形・変更が可能である。
【００６４】
以上の説明に関し、更に以下の項を開示する。
（付記１）
携帯端末より位置情報を受信し、
前記携帯端末について、所定位置に係る位置情報と、前記携帯端末より受信される位置情報との比較に基づいて、前記所定位置からの移動を検知し、
前記移動が検知されてから所定時間経過後に、複数の給水場所の中から前記位置情報に係る位置に相対的に近い給水場所を、各給水場所の位置情報を記憶する第一の記憶部を用いて特定し、
特定された前記給水場所を示す情報を前記携帯端末に送信する、
処理をコンピュータに実行させる給水情報送信プログラム。
（付記２）
前記特定する処理は、第二の記憶部が記憶する気温及び湿度の少なくともいずれか一方に基づいて、前記所定時間を変化させる付記１記載の給水情報送信プログラム。
（付記３）
前記送信する処理は、第三の記憶部が前記特定された給水場所に対して記憶する、当該給水場所が最後に使用された時期に応じて、水を摂取する際の注意事項を前記携帯端末に送信する付記１又は２記載の給水情報送信プログラム。
（付記４）
携帯端末より位置情報を受信し、
前記携帯端末について、所定位置に係る位置情報と、前記携帯端末より受信される位置情報との比較に基づいて、前記所定位置からの移動を検知し、
前記移動が検知されてから所定時間経過後に、複数の給水場所の中から前記位置情報に係る位置に相対的に近い給水場所を、各給水場所の位置情報を記憶する第一の記憶部を用いて特定し、
特定された前記給水場所を示す情報を前記携帯端末に送信する、
処理をコンピュータが実行する給水情報送信方法。
（付記５）
前記特定する処理は、第二の記憶部が記憶する気温及び湿度の少なくともいずれか一方に基づいて、前記所定時間を変化させる付記４記載の給水情報送信方法。
（付記６）
前記送信する処理は、第三の記憶部が前記特定された給水場所に対して記憶する、当該給水場所が最後に使用された時期に応じて、水を摂取する際の注意事項を前記携帯端末に送信する付記４又は５記載の給水情報送信方法。
（付記７）
携帯端末より位置情報を受信する受信部と、
前記携帯端末について、所定位置に係る位置情報と、前記携帯端末より受信される位置情報との比較に基づいて、前記所定位置からの移動を検知する検知部と、
前記移動が検知されてから所定時間経過後に、複数の給水場所の中から前記位置情報に係る位置に相対的に近い給水場所を、各給水場所の位置情報を記憶する第一の記憶部を用いて特定する特定部と、
特定された前記給水場所を示す情報を前記携帯端末に送信する送信部と、
を有する給水情報送信装置。
（付記８）
前記特定部は、第二の記憶部が記憶する気温及び湿度の少なくともいずれか一方に基づいて、前記所定時間を変化させる付記７記載の給水情報送信装置。
（付記９）
前記送信部は、第三の記憶部が前記特定された給水場所に対して記憶する、当該給水場所が最後に使用された時期に応じて、水を摂取する際の注意事項を前記携帯端末に送信する付記７又は８記載の給水情報送信装置。
【符号の説明】
【００６５】
１            給水情報通知システム
１０          給水情報通知装置
１１          位置情報受信部
１２          外出検知部
１３          外出情報更新部
１４          通知間隔判定部
１５          通知時期検知部
１６          給水場所特定部
１７          給水情報送信部
１８          使用履歴更新部
２０          携帯端末
１００        ドライブ装置
１０１        記録媒体
１０２        補助記憶装置
１０３        メモリ装置
１０４        ＣＰＵ
１０５        インタフェース装置
１１１        ユーザ情報記憶部
１１２        位置情報記憶部
１１３        外出情報記憶部
１１４        環境情報記憶部
１１５        通知間隔記憶部
１１６        給水場所情報記憶部
Ｂ            バス
【図１】
2014191483.tif 000003
【図２】
2014191483.tif 000004
【図３】
2014191483.tif 000005
【図４】
2014191483.tif 000006
【図５】
2014191483.tif 000007
【図６】
2014191483.tif 000008
【図７】
2014191483.tif 000009
【図８】
2014191483.tif 000010
【図９】
2014191483.tif 000011
【図１０】
2014191483.tif 000012
【図１１】
2014191483.tif 000013
【図１２】
2014191483.tif 000014
【図１３】
2014191483.tif 000015
【図１４】
2014191483.tif 000016
【図１５】
2014191483.tif 000017
【図１６】
2014191483.tif 000018